(57)【要約】【課題】  アドレス期間での消費電力の増加なくサブフィールドの個数を増加させるプラズマ表示パネルの駆動方法を提供する。【解決手段】  複数の放電セルが形成されたプラズマ表示パネルにおいて、一つのフィールドを、加重値を有するＮ個のサブフィールド（Ｎは自然数）に分割し、前記Ｎ個のサブフィールドの中で映像データがマッピングされたサブフィールドの加重値の合計を階調として表現するプラズマ表示パネルの駆動方法であって、  入力される映像データを前記Ｎ個のサブフィールドにマッピングすることと、前記Ｎ個のサブフィールドの中で、前記映像データを表現するためのＭ個のサブフィールド（ＭはＮより小さい自然数）を設定することと、前記Ｍ個のサブフィールドの加重値の合計で前記映像データを表現することと、を含む 。【選択図】    図４
2006053547.tif 000002
【特許請求の範囲】
【請求項１】
複数の放電セルが形成されたプラズマ表示パネルにおいて、一つのフィールドを、加重値を有するＮ個のサブフィールド（Ｎは自然数）に分割し、前記Ｎ個のサブフィールドの中で映像データがマッピングされたサブフィールドの加重値の合計を階調として表現するプラズマ表示パネルの駆動方法であって、
入力される映像データを前記Ｎ個のサブフィールドにマッピングすることと、
前記Ｎ個のサブフィールドの中で、前記映像データを表現するためのＭ個のサブフィールド（ＭはＮより小さい自然数）を設定することと、
前記Ｍ個のサブフィールドの加重値の合計で前記映像データを表現することと、を含むことを特徴とするプラズマ表示パネルの駆動方法。
【請求項２】
前記Ｎ個のサブフィールドを加重値の順番に配置する時に、前記映像データがマッピングされたサブフィールドの中で、最高加重値のサブフィールドがＫ番目サブフィールド（ＫはＭより大きい自然数）である場合、
Ｋ-Ｍ+１番目から前記Ｋ番目までのサブフィールドにより前記映像データが表現されることを特徴とする請求項１に記載のプラズマ表示パネルの駆動方法。
【請求項３】
前記Ｎ個のサブフィールドを加重値の順番に配置する時に、前記映像データがマッピングされたサブフィールドの中で、最高加重値のサブフィールドがＬ番目サブフィールド（ＬはＭ以下の自然数）である場合、
１番目から前記Ｍ番目までのサブフィールドにより前記映像データが表現されることを特徴とする請求項２に記載のプラズマ表示パネルの駆動方法。
【請求項４】
前記Ｎ個のサブフィールドを加重値の順番に配置する時に、前記映像データがマッピングされたサブフィールドの中で、最高加重値のサブフィールドがＫ番目サブフィールド（ＫはＭより大きい自然数）である場合、
Ｋ-Ｍ+１番目から前記Ｋ番目までのサブフィールドのマッピング関係が互いに同じで、１番目からＫ-Ｍ番目までのサブフィールドのマッピング関係が互いに異なる映像データは、同じ階調で表現されることを特徴とする請求項１、２または３のいずれか１項に記載のプラズマ表示パネルの駆動方法。
【請求項５】
複数の放電セルが形成されたプラズマ表示パネルにおいて、一つのフィールドを、加重値を有するＮ個のサブフィールド（Ｎは自然数）に分割し、前記Ｎ個のサブフィールドの中で映像データがマッピングされたサブフィールドの加重値の合計を階調として表現するプラズマ表示パネルの駆動方法であって、
入力される映像データを前記Ｎ個のサブフィールドにマッピングすることと、
前記映像データが前記Ｎ個のサブフィールドにマッピングされたデータの中で、Ｍ個のサブフィールド（ＭはＮより小さい自然数）に対応する有効データを設定することと、
第１放電セルに無効データが存在する場合、前記第１放電セルと同じアドレスラインに位置し、前記第１放電セルと異なる時点に走査される少なくとも一つの放電セルのデータによって、前記第１放電セルの前記無効データを設定することと、を含むことを特徴とするプラズマ表示装置の駆動方法。
【請求項６】
前記第１放電セルより時間的に以前に走査される第２放電セルと、前記第１放電セルより時間的に以降に走査される第３放電セルとのデータによって、前記第１放電セルの前記無効データが設定されることを特徴とする請求項５に記載のプラズマ表示パネルの駆動方法。
【請求項７】
前記Ｎ個のサブフィールドを加重値の順番に配置する時に、前記映像データがマッピングされたサブフィールドの中で、最高加重値のサブフィールドがＫ番目サブフィールド（ＫはＭより大きい自然数）である場合、
Ｋ-Ｍ+１番目から前記Ｋ番目までのサブフィールドにマッピングされる前記映像データを有効データに設定し、１番目からＫ-Ｍ番目までのサブフィールドのデータを無効データに設定することを特徴とする請求項６に記載のプラズマ表示パネルの駆動方法。
【請求項８】
前記第１放電セルについての前記１番目からＫ-Ｍ番目までのサブフィールドの無効データの中で、ｉ番目サブフィールド（ｉは１とＫ-Ｍとの間の整数）の無効データは、前記第２放電セルの前記ｉ番目サブフィールドの有効データと、前記第３放電セルの前記ｉ番目サブフィールドの有効データによって決定されることを特徴とする請求項７に記載のプラズマ表示パネルの駆動方法。
【請求項９】
前記第２放電セルは、前記第１放電セルの直前に走査される放電セルであり、
前記第３放電セルは、前記第１放電セルの以降に走査される放電セルの中で、前記ｉ番目サブフィールドのデータが有効データである最初の放電セルであることを特徴とする請求項８に記載のプラズマ表示パネルの駆動方法。
【請求項１０】
前記第２放電セルと前記第３放電セルとについての前記ｉ番目サブフィールドのデータが同じである場合、前記第１放電セルについての前記ｉ番目サブフィールドの無効データは、前記第２放電セルと前記第３放電セルとについての前記ｉ番目サブフィールドのデータに設定され、
前記第２放電セルと前記第３放電セルとについての前記ｉ番目サブフィールドのデータが互いに異なる場合、前記第１放電セルについての前記ｉ番目サブフィールドの無効データは、前記第１放電セルの本来のデータとされることを特徴とする請求項９に記載のプラズマ表示パネルの駆動方法。
【請求項１１】
前記第１放電セルより時間的に直前に走査される第２放電セルのデータによって、前記第１放電セルの前記無効データが決定されることを特徴とする請求項５に記載のプラズマ表示パネルの駆動方法。
【請求項１２】
前記Ｎ個のサブフィールドを加重値の順番に配置する時に、前記映像データがマッピングされたサブフィールドの中で、最高加重値のサブフィールドがＫ番目サブフィールド（ＫはＭより大きい自然数）である場合、
Ｋ-Ｍ+１番目から前記Ｋ番目までのサブフィールドにマッピングされる前記映像データを有効データに設定し、１番目からＫ-Ｍ番目までのサブフィールドのデータを無効データに設定することを特徴とする請求項１１に記載のプラズマ表示パネルの駆動方法。
【請求項１３】
前記第１放電セルについての前記１番目からＫ-Ｍ番目までのサブフィールドの無効データは、前記第２放電セルについての前記１番目からＫ-Ｍ番目までのサブフィールドのデータによって決定されることを特徴とする請求項１２に記載のプラズマ表示パネルの駆動方法。
【請求項１４】
前記第２放電セルについてのｉ番目サブフィールド（ｉは１とＫ-Ｍの間の整数）のデータが「０」である場合、前記第１放電セルについての前記ｉ番目サブフィールドの無効データは「０」に設定され、
前記第２放電セルについての前記ｉ番目サブフィールドのデータが「１」である場合、前記第１放電セルについての前記ｉ番目サブフィールドの無効データは本来のデータを維持することを特徴とする請求項１３に記載のプラズマ表示パネルの駆動方法。
【請求項１５】
前記Ｎ個のサブフィールドを加重値の順番に配置する時に、前記映像データがマッピングされたサブフィールドの中で、最高加重値のサブフィールドがＬ番目サブフィールド（ＬはＭ以下の自然数）である場合、
１番目から前記Ｍ番目までのサブフィールドのデータを有効データに設定して、前記有効データで前記映像データを表現することを特徴とする請求項５に記載のプラズマ表示パネルの駆動方法。
【請求項１６】
複数の放電セルが形成されたプラズマ表示パネルと、
前記放電セルに駆動信号を印加する駆動部と、
一つのフィールドを、加重値を有するＮ個のサブフィールドに分割して、前記Ｎ個のサブフィールドの中で、前記Ｎより小さいＭ個のサブフィールドにより映像データの階調を表現するように前記駆動部を制御する制御部と、を備えることを特徴とするプラズマ表示装置。
【請求項１７】
前記制御部は、
前記映像データを前記Ｎ個のサブフィールドにマッピングして、前記Ｎ個のサブフィールドを加重値の順番に配置する時に、前記映像データがマッピングされたサブフィールドの中で、最高加重値のサブフィールドが前記Ｍより大きいＫ番目サブフィールドである場合、
Ｋ−Ｍ＋１番目からＫ番目までのサブフィールドのマッピング関係が同じで、１番目サブフィールドからＫ-Ｍ番目までのサブフィールドのマッピング関係が異なる映像データを同じ階調で表現することを特徴とする請求項１６に記載のプラズマ表示装置。
【請求項１８】
前記制御部は、
前記映像データを前記Ｎ個のサブフィールドにマッピングして、前記Ｎ個のサブフィールドを加重値の順番に配置する時に、前記映像データがマッピングされたサブフィールドの中で、最高加重値のサブフィールドが前記Ｍより大きいＫ番目サブフィールドである場合、
１番目サブフィールドからＫ-Ｍ番目までのサブフィールドのデータを無視して前記映像データの階調を表現することを特徴とする請求項１６に記載のプラズマ表示装置。
【請求項１９】
複数の放電セルが形成されたプラズマ表示パネルと、
前記放電セルに駆動信号を印加する駆動部と、
一つのフィールドを、加重値を有するＮ個のサブフィールドに分割して、各放電セルについての映像データを前記サブフィールドにマッピングして、前記サブフィールドにマッピングされたデータで階調を表現するように前記駆動部を制御する制御部と、を備え、
前記制御部は、第１放電セルについての映像データが、加重値の順番に配置されたＮ個のサブフィールドのうち、Ｍ番目以降のＫ番目サブフィールドを使用する時に、前記第１放電セルと異なる時点に走査される少なくとも一つの放電セルのデータによって、前記第１放電セルについての１番目からＫ-Ｍ番目までのサブフィールドのデータを設定することを特徴とするプラズマ表示装置。
【請求項２０】
前記制御部は、前記第１放電セルについての１番目からＫ-Ｍ番目までのサブフィールドのデータを前記第１放電セルより時間的に以前に走査される第２放電セルと、時間的に以降に走査される第３放電セルと、のデータによって設定することを特徴とする請求項１９に記載のプラズマ表示装置。
【請求項２１】
前記第２放電セルは、前記複数の放電セルについての走査が列方向に行われる場合、前記第１放電セル直前に走査され、前記第１放電セルと同じ列に位置する放電セルであり、
前記第３放電セルは、前記第１放電セル以降に走査される放電セルの中で、ｉ+Ｍ−１番目サブフィールド以前のサブフィールドだけを使用する最初の放電セルであることを特徴とする請求項２０に記載のプラズマ表示装置。
【請求項２２】
前記第２放電セルと前記第３放電セルとの前記ｉ番目サブフィールドデータが同じである場合、前記制御部は前記第１放電セルの前記ｉ番目サブフィールドのデータを、前記第２放電セルと前記第３放電セルとの前記ｉ番目サブフィールドデータと同じように設定することを特徴とする請求項２１に記載のプラズマ表示装置。
【請求項２３】
前記第２放電セルと前記第３放電セルとの前記ｉ番目サブフィールドデータが異なる場合、前記制御部は前記第１放電セルの前記ｉ番目サブフィールドのデータを本来のデータに維持することを特徴とする請求項２１に記載のプラズマ表示装置。
【請求項２４】
前記複数の放電セルについての走査が前記列方向に行われる場合、前記少なくとも一つの放電セルは前記第１放電セル直前に走査され、前記第１放電セルと同じ列に位置する放電セルであることを特徴とする請求項１９に記載のプラズマ表示装置。
【請求項２５】
前記制御部は、前記第２放電セルがｉ番目サブフィールド（ｉは１とＫ-Ｍの間の整数）で発光しない場合、前記第１放電セルを前記ｉ番目サブフィールドで発光させないように設定することを特徴とする請求項２４に記載のプラズマ表示装置。
【請求項２６】
前記制御部は、前記第２放電セルがｉ番目サブフィールド（ｉは１とＫ-Ｍの間の整数）で発光する場合、前記第１放電セルの前記ｉ番目サブフィールドのデータを本来のデータに維持することを特徴とする請求項２４に記載のプラズマ表示装置。
【発明の詳細な説明】
【技術分野】
【０００１】
本発明は、プラズマ表示装置とその駆動方法に関し、特にプラズマ表示装置の階調を表現する方法に関する。
【背景技術】
【０００２】
一般に、プラズマ表示装置では一つのフィールド（１ＴＶフィールド）がそれぞれの加重値（即ち、重み）を有する複数のサブフィールドに分割され、表示動作がなされたサブフィールドの加重値の合計によって階調が表示される。
【０００３】
このようなサブフィールドを利用した階調表現方法では、疑似輪郭現象が起こりうる。例えば、２を底とする指数関数で加重値が表されるサブフィールドを使用する場合、一つの放電セルで連続する二つのフィールドが、それぞれ１２７階調と１２８階調を表現する場合、疑似輪郭が発生する。このように、２を底とする指数関数で加重値が表されるサブフィールドでは、加重値が大きいサブフィールドによって疑似輪郭が発生するので、サブフィールドの個数を増やして加重値が大きいサブフィールドを減らす方法が使用されている。
【０００４】
また、階調の表現力を増大させるためにはサブフィールドの数を増やす必要があり、例えば５１２階調を表現するためには、サブフィールドの数をほぼ１４個に設定しなければならない。ところが、各サブフィールドは当該サブフィールドで発光させようとする放電セルを選択するためのアドレス期間を有する。このようなアドレス期間では、発光する放電セルを選択するためにスイッチング動作が多く行われ、スイッチングによる消費電力が発生し、また、選択された放電セルにアドレス放電が起こるので、アドレス放電による消費電力も発生する。そして、サブフィールドの数が増加すれば、アドレス期間の数も増加するようになって、アドレス期間に消費される電力が大きくなる問題点が発生する。
【発明の開示】
【発明が解決しようとする課題】
【０００５】
本発明が解決しようとする技術的課題は、アドレス期間での消費電力の増加なくサブフィールドの個数を増加させるプラズマ表示パネルの駆動方法を提供することである。
【課題を解決するための手段】
【０００６】
このような課題を解決するための本発明の一つの特徴によるプラズマ表示パネルの駆動方法は、複数の放電セルが形成されたプラズマ表示パネルにおいて、一つのフィールドを、加重値を有するＮ個のサブフィールド（Ｎは自然数）に分割し、前記Ｎ個のサブフィールドの中で映像データがマッピングされたサブフィールドの加重値の合計を階調として表現するプラズマ表示パネルの駆動方法であって、入力される映像データを前記Ｎ個のサブフィールドにマッピングすることと、前記Ｎ個のサブフィールドの中で、前記映像データを表現するためのＭ個のサブフィールド（ＭはＮより小さい自然数）を設定することと、前記Ｍ個のサブフィールドの加重値の合計で前記映像データを表現することと、を含む。
【０００７】
このような課題を解決するための本発明の他の特徴によるプラズマ表示パネルの駆動方法は、複数の放電セルが形成されたプラズマ表示パネルにおいて、一つのフィールドを、加重値を有するＮ個のサブフィールド（Ｎは自然数）に分割し、前記Ｎ個のサブフィールドの中で映像データがマッピングされたサブフィールドの加重値の合計を階調として表現するプラズマ表示パネルの駆動方法であって、入力される映像データを前記Ｎ個のサブフィールドにマッピングすることと、前記映像データが前記Ｎ個のサブフィールドにマッピングされたデータの中で、Ｍ個のサブフィールド（ＭはＮより小さい自然数）に対応する有効データを設定することと、第１放電セルに無効データが存在する場合、前記第１放電セルと同じアドレスラインに位置し、前記第１放電セルと異なる時点に走査される少なくとも一つの放電セルのデータによって、前記第１放電セルの前記無効データを設定することと、を含む。
【０００８】
前記第１放電セルより時間的に以前に走査される第２放電セルと、前記第１放電セルより時間的に以降に走査される第３放電セルとのデータによって、前記第１放電セルの前記無効データが設定される。
【０００９】
前記第１放電セルより時間的に直前に走査される第２放電セルのデータによって、前記第１放電セルの前記無効データが決定される。
【００１０】
このような課題を解決するための本発明の他の特徴によるプラズマ表示装置は、複数の放電セルが形成されたプラズマ表示パネルと、前記放電セルに駆動信号を印加する駆動部と、一つのフィールドを、加重値を有するＮ個のサブフィールドに分割して、前記Ｎ個のサブフィールドの中で、前記Ｎより小さいＭ個のサブフィールドにより映像データの階調を表現するように前記駆動部を制御する制御部と、を備える。
【００１１】
このような課題を解決するための本発明の他の特徴によるプラズマ表示装置は、複数の放電セルが形成されたプラズマ表示パネルと、前記放電セルに駆動信号を印加する駆動部と、一つのフィールドを、加重値を有するＮ個のサブフィールドに分割して、各放電セルについての映像データを前記サブフィールドにマッピングして、前記サブフィールドにマッピングされたデータで階調を表現するように前記駆動部を制御する制御部と、を備え、前記制御部は、第１放電セルについての映像データが、加重値の順番に配置されたＮ個のサブフィールドのうち、Ｍ番目以降のＫ番目サブフィールドを使用する時に、前記第１放電セルと異なる時点に走査される少なくとも一つの放電セルのデータによって、前記第１放電セルについての１番目からＫ-Ｍ番目までのサブフィールドのデータを設定する。
【発明の効果】
【００１２】
本発明の実施例によれば、アドレス期間での消費電力の増加なくサブフィールドの個数を増加させることができる。
【発明を実施するための最良の形態】
【００１３】
以下、添付図面を参照しながら、本発明の実施例について詳細に説明する。本明細書及び図面において、実質的に同一の機能構成を有する構成要素については、同一の符号を付することにより重複説明を省略する。
【００１４】
図１は、本発明の実施例によるプラズマ表示装置の概略的な図面である。
【００１５】
図１に示すように、本発明の実施例によるプラズマ表示装置はプラズマ表示パネル１００、制御部２００、アドレス駆動部３００、Ｘ電極駆動部４００及びＹ電極駆動部５００を備える。
【００１６】
プラズマ表示パネル１００は、列方向に伸びている複数のアドレス電極Ａ１〜Ａｍ、そして行方向に互いに対を成しながら伸びている複数の維持電極（以下、「Ｘ電極」とする）Ｘ１〜Ｘｎ及び複数のＹ電極（以下、「Ｙ電極」とする）Ｙ１〜Ｙｎを含む。Ｘ電極Ｘ１〜Ｘｎは各Ｙ電極Ｙ１〜Ｙｎに対を成して形成されることがある。この時に、アドレス電極とＸ及びＹ電極の交差部にある放電空間が放電セルを形成する。
【００１７】
制御部２００は、外部から入力される階調によって、複数のサブフィールドの中で放電セルが点灯されるサブフィールドを選択して、アドレス電極駆動制御信号、Ｘ電極駆動制御信号及びＹ電極駆動制御信号を出力する。そして、アドレス駆動部３００、Ｘ電極駆動部４００及びＹ電極駆動部５００は、制御部２００から駆動制御信号を受信して、各サブフィールドでアドレス電極Ａ１〜Ａｍ、Ｘ電極Ｘ１〜Ｘｎ及びＹ電極Ｙ１〜Ｙｎに各々駆動電圧を印加する。
【００１８】
次に、図２及び図３を参照して、本発明の第１実施例によるプラズマ表示装置の制御部２００について詳細に説明する。図２は、図１の制御部２００についての詳細ブロック図である。
【００１９】
図２を参照すると、制御部２００は、逆ガンマ補正部２１０、誤差拡散部２２０、消費電力制御部２３０、維持放電パルス制御部２４０及びサブフィールドデータ生成部２５０を備える。
【００２０】
逆ガンマ補正部２１０は、外部から入力される映像信号を逆ガンマ補正して映像データを生成する。実際に、逆ガンマ補正部２１０は、逆ガンマ特性曲線に対応するデータを保存しているルックアップテーブル（図示せず）を利用して外部から入力される映像信号の階調を変更する。誤差拡散部２２０は、逆ガンマ補正部２１０によって逆ガンマ補正された映像データの一部ビットを隣接画素に拡散することで、階調の表現力を増大させる。このような逆ガンマ補正部２１０及び誤差拡散部２２０は、そのプラズマ表示装置の特性によって制御部２００で使用されないこともある。
【００２１】
消費電力制御部２３０は、誤差拡散部２２０から出力される映像データから画面負荷率を検出して、検出された負荷率によって維持放電パルスの総個数に対応するＡＰＣ（automatic power control）レベルを計算する。このようなＡＰＣレベルは、一つのフィールドの維持期間で使用される維持放電パルスの総個数に対応する。例えば、消費電力制御部２３０は、一つのフィールドに相当する映像データの平均信号レベルから画面負荷率を計算し、画面負荷率が高い場合には、維持期間に使用される維持放電パルスの総個数を減らして消費電力を制限する。維持放電パルス制御部２４０は、ＡＰＣレベルに基づいてＸ電極駆動部４００及びＹ電極駆動部５００を制御する。Ｘ電極駆動部４００及びＹ電極駆動部５００は、維持放電パルス制御部２４０の制御によってＡＰＣレベルに対応する個数の維持放電パルスを出力する。
【００２２】
サブフィールドデータ生成部２５０は、誤差拡散部２２０から出力される映像データを複数のサブフィールドにマッピングしてサブフィールドデータを生成する。ここで、サブフィールドデータは放電セルの各サブフィールドでの発光/非発光の要否を示すデータである。そして、サブフィールドデータ生成部２５０は、マッピングしたサブフィールドデータをアドレス駆動部３００に伝達する。そうすると、アドレス駆動部３００は、サブフィールドデータに基づいて、発光する放電セルを選択するためのアドレスパルスをアドレス電極にサブフィールド毎に印加する。ここで、サブフィールドデータ生成部２５０は、入力される映像データの階調値によって全部でＮ個のサブフィールドの中で階調表現に使用されるＭ個のサブフィールドを決定する（Ｍ＜Ｎ）。
【００２３】
次に、このような制御部２００の動作、特にサブフィールドデータ生成部２５０の動作について、図３乃至図７を参照して詳細に説明する。図３乃至図７において、「有効データ」は、Ｎ個のサブフィールドの中で階調表現に使用されるＭ個のサブフィールドに相当するデータを意味する。そして「無効データ」は、Ｎ個のサブフィールドの中で前記Ｍ個のサブフィールドに割り当てられず、前記Ｍ個のサブフィールドより低い加重値を有するサブフィールドに相当するデータを意味する。
【００２４】
図３は、本発明の第１実施例によるサブフィールドマスキングを示す図面である。
【００２５】
図３では、説明を簡単にするために、一つのフィールドが５１２階調を表現することができる１４個のサブフィールドＳＦ１-ＳＦ１４からなることと想定して、１４個のサブフィールドＳＦ１-ＳＦ１４の加重値が各々１、２、３、４、６、９、１３、１９、２８、４１、６２、８５、１０８及び１３１であると想定する。そして１４個の加重値が加重値の大きさの順番で配置され、第１サブフィールドＳＦ１の加重値が１であり、１４番目サブフィールドＳＦ１４の加重値が１３１であるとする。このような場合、３３５階調を表現するためには、１４個のサブフィールドＳＦ１-ＳＦ１４の順番に「００１１０１１０１０１１０１」のデータがマッピングされる。ここで「０」は当該サブフィールドで放電セルが発光しないことを示し、「１」は当該サブフィールドで放電セルが発光することを示す。
【００２６】
サブフィールドデータ生成部２５０は、入力される映像データの階調を１４個のサブフィールドにマッピングしながら１４個のサブフィールドの中で使用される最高加重値のサブフィールドを判断する。図３で、例えば入力階調が４であれば、３番目サブフィールドが最高加重値のサブフィールドであり、入力階調が３５であれば、８番目サブフィールド、入力階調が２０６または２０７であれば、１２番目サブフィールドが最高加重値のサブフィールドになる。このように最高加重値のサブフィールドが１２番目以下のサブフィールドであれば、１３番目及び１４番目サブフィールドＳＦ１３、ＳＦ１４は使用されないので、サブフィールドデータ生成部２５０は、映像データを１番目ないし１２番目サブフィールドＳＦ１-ＳＦ１２にマッピングする。
【００２７】
そして、例えば入力階調が３１４または３１５であれば、１３番目サブフィールドＳＦ１３が最高加重値のサブフィールドになる。このように最高加重値のサブフィールドが１３番目サブフィールドＳＦ１３である場合には、サブフィールドデータ生成部２５０は、映像データを２番目から１３番目サブフィールドＳＦ２-ＳＦ１３にだけマッピングして、１番目サブフィールドＳＦ１に該当するデータは無視する。つまり、３１４または３１５は、２番目から１３番目サブフィールドＳＦ２-ＳＦ１３にだけマッピングされるので、同じく３１４の階調で表現される。
【００２８】
次に、例えば入力階調が３３５、３３６、３３７または３３８であれば、１４番目サブフィールドＳＦ１４が最高加重値のサブフィールドになる。このように最高加重値のサブフィールドが１４番目サブフィールドＳＦ１４である場合には、サブフィールドデータ生成部２５０は映像データを３番目ないし１４番目サブフィールドＳＦ３-ＳＦ１４にだけマッピングして、１番目及び２番目サブフィールドＳＦ１、ＳＦ２に該当するデータは無視する。つまり、３３５、３３６、３３７及び３３８は３番目から１４番目サブフィールドＳＦ３-ＳＦ１４にだけマッピングされるので、同じく３３５の階調で表現される。
【００２９】
これを整理すれば、本発明の第１実施例では、入力される映像データをＮ個のサブフィールドの中で、Ｍ個のサブフィールドだけで表現する（Ｍ＜Ｎ）。この時に、入力される映像データがＫ番目サブフィールドまでを使用する場合、１番目からＫ-Ｍ番目までのサブフィールドに対応するデータが無視され、無効データとして処理される（Ｋ＞Ｍ）。このようにすると、全ての映像データがＭ個のサブフィールドだけで表現されるので、Ｎ個のサブフィールドを使用して階調を表現する場合より、アドレス期間の回数が減るのでアドレス期間で消費される電力を減らすことができる。
【００３０】
この時に、映像データがＫ番目サブフィールドまで使用する場合には、１番目からＫ-Ｍ番目までのサブフィールドに対応するデータが無効データに処理されるが、高い階調を表現するので低い加重値のデータが無視されても階調の表現の変化は大きくない。したがって、本発明の第１実施例によれば、階調表現力または疑似輪郭の低減などのために、サブフィールドの個数を増加させても一部サブフィールドをマスキングして使用するので、アドレス期間の増加による消費電力の増加を防止することができる。
【００３１】
以上、本発明の第１実施例では、加重値が高いサブフィールドを使用する場合、加重値が低いサブフィールドを無視した。つまり、加重値が低いサブフィールドに「０」を割り当てた。この時に、１行１列に位置する放電セルの１番目サブフィールドデータが有効データとして「１」であって、２行１列に位置する放電セルの１番目サブフィールドデータが無効データ処理となって「０」である場合を想定する。このような場合には、１番目サブフィールドのアドレス期間で、１行１列に位置する放電セルにはアドレス電圧が印加されるようにスイッチングした後に、２行１列では非アドレス電圧が印加されるようにスイッチングしなければならない。そうすると、無効データによってスイッチングが発生して、スイッチングによる電力損失が発生することがありうる。
【００３２】
以下、無効データによって発生する電力損失を減らすことができる実施例について、図４乃至図７を参照して説明する。
【００３３】
図４は本発明の第２実施例による無効データ処理方法を示すフローチャートであり、図５は図４の方法によって決定されるデータを示す図面である。
【００３４】
図４及び図５では、走査方向が列方向に順次に行われることと想定して説明する。そして図４及び図５では、ｉ行ｊ列の放電セル（ｉ番目Ｙ電極Ｙｉとｊ番目アドレス電極Ａｊによって形成される放電セル）についての映像データで、１番目サブフィールドのデータが無効データである場合、当該データを処理する方法について説明する。以下で使用する用語の中で、「直前」及び「直後」は、それぞれ時間的に「すぐ前」と「すぐ後」を意味し、「以前」は「直前」を含んだ前の時間を意味し、「以降」は「直後」を含んだ後の時間を意味する。
【００３５】
図４に示すように、まず、サブフィールドデータ生成部２５０は、ｉ行ｊ列放電セルの直後に走査されるｉ+１行ｊ列の放電セルの１番目サブフィールドのデータが有効データなのかを判断する（Ｓ４１０）。
【００３６】
ｉ+１行ｊ列の放電セルの１番目サブフィールドのデータが有効データである場合には、サブフィールドデータ生成部２５０は、ｉ行ｊ列放電セル直前に走査されるｉ-１行ｊ列の放電セルの１番目サブフィールドのデータとｉ+１行ｊ列の放電セルの１番目サブフィールドのデータとを比較する（Ｓ４２０）。ｉ-１行ｊ列の放電セルとｉ+１行ｊ列の放電セルとの１番目サブフィールドのデータが同じであれば、サブフィールドデータ生成部２５０は、ｉ行ｊ列放電セルの１番目サブフィールドデータを直前及び直後放電セルと同じで、且つ有効なサブフィールドデータに設定する。つまり、図５に示すように、ｉ-１行ｊ列の放電セルとｉ+１行ｊ列の放電セルの１番目サブフィールドのデータが全て「０」であれば、ｉ行ｊ列放電セルの１番目サブフィールドの無効データが「０」の有効データに設定され（Ｓ４３１）、ｉ-１行ｊ列の放電セルとｉ+１行ｊ列の放電セルの１番目サブフィールドのデータが全て「１」であれば、ｉ行ｊ列放電セルの１番目サブフィールドの無効データが「１」の有効データに設定される（Ｓ４３２）。このようにすると、直前及び直後に走査される放電セルとアドレスデータ（サブフィールドデータ）が同じだから、スイッチングが起こらないので、スイッチングによる電力損失をなくすことができる。
【００３７】
そして、図５に示すように、ｉ-１行ｊ列の放電セルとｉ+１行ｊ列の放電セルとの１番目サブフィールドのデータが互いに異なると、サブフィールドデータ生成部２５０は、ｉ行ｊ列放電セルの１番目サブフィールドの本来のデータを有効データとして表現する（Ｓ４３３）。この時に、隣接した二つの有効データの間でスイッチングは必ず起こるので、無効データを本来のデータで表現しても追加的なスイッチングは起こらない。つまり、追加的なスイッチング損失なく本来のデータをそのまま表現することができる。ここで、本来のデータとは、無効とされる前のデータを意味する。
【００３８】
次に、ｉ+１行ｊ列の放電セルの１番目サブフィールドデータが有効データではない場合、サブフィールドデータ生成部２５０は、ｉ+１行ｊ列の放電セル以降に走査される放電セルの１番目サブフィールドデータが有効データなのかを順次に判断する（Ｓ４４０、Ｓ４１０）。つまり、サブフィールドデータ生成部２５０は、ｉ+２行ｊ列の放電セルの１番目サブフィールドデータが有効データなのかを判断する。もし、ｉ+２行ｊ列の放電セルのデータが有効データではないと、次に走査されるｉ+３行ｊ列の放電セルの１番目サブフィールドデータが有効データなのかを判断し、有効データを有する放電セルを確認する時までこの過程を繰り返す。この過程（Ｓ４４０、Ｓ４１０）を通じてｉ+ｋ行ｊ列の放電セルの１番目サブフィールドデータが有効データである場合には、サブフィールドデータ生成部２５０は、ｉ-１行ｊ列の放電セルの１番目サブフィールドデータとｉ+ｋ行ｊ列の放電セルの１番目サブフィールドデータとを比較する（Ｓ４２０）。比較結果によって前述した方法（Ｓ４３１、Ｓ４３２、Ｓ４３３）を通してｉ行ｊ列の放電セルの１番目サブフィールドのデータを設定する。なお、ｊ列の放電セルのうち、ｉ行ｊ列以降の放電セルを全て検索した結果、１番目サブフィールドデータが有効データとなる放電セルが存在しない場合には、サブフィールドデータ生成部２５０は、図４の処理を終了する。この場合、ｉ行ｊ列の放電セルは、例えば、第１実施例と同様の方法により、放電される。
【００３９】
図４では、１番目サブフィールドの無効データを処理する方法について説明したが、１番目または２番目サブフィールドのデータが全て無効データである場合の各々についても、図４で説明した方法で無効データを処理すればよい。
【００４０】
このように図４及び図５に説明した方法を通して、映像データをサブフィールドデータにマッピングした後に、順次に無効データを直前及び以降に走査される放電セルのデータと比較して有効データに設定することができる。これを整理すれば、ある放電セルについての映像データをサブフィールドデータにマッピングする時に、Ｋ番目までのサブフィールドが使用されれば、１番目からＫ-Ｍ番目までのサブフィールドデータが無効データに処理される。この時に、１番目からＫ-Ｍ番目までのサブフィールドデータで、それぞれの無効データは、当該放電セル直前に走査される放電セルと、以降に走査される放電セルの中で、最初に有効データを有する放電セルとの当該サブフィールドデータによって決定される。
【００４１】
このように、本発明の第２実施例によれば、無効データを無視しないで、直前及び以降に走査される放電セルのデータと比較して消費電力が減少する方向にデータを設定することができる。
【００４２】
図６及び図７は、本発明の第３実施例による無効データ処理方法を示す図面である。図６及び図７では、走査方向が列方向に順次に行われるものと想定して説明する。
【００４３】
まず、図６を参照して、ｉ行ｊ列の放電セルについての映像データで１番目サブフィールドのデータが無効データとされる場合について説明する。
【００４４】
ｉ-１行ｊ列の放電セルの１番目サブフィールドのデータが「０」で、無効データに処理されるｉ行ｊ列放電セルの１番目サブフィールドのデータが「０」である場合、サブフィールドデータ生成部２５０は無効データを「０」に維持する。このようにすると、直前に走査される放電セルとアドレスデータ（サブフィールドデータ）が同じなのでスイッチングが起こらないし、また、アドレスデータが「０」であるのでアドレス放電も起こらない。
【００４５】
ｉ-１行ｊ列の放電セルの１番目サブフィールドのデータが「１」で、無効データに処理されるｉ行ｊ列放電セルの１番目サブフィールドのデータが「１」である場合、サブフィールドデータ生成部２５０は無効データを「１」の有効データとする。そうすると、本来のデータをそのまま表現することができると同時に、スイッチングによる電力損失を無くすことができる。
【００４６】
ｉ-１行ｊ列の放電セルの１番目サブフィールドのデータが「０」で、無効データに処理されるｉ行ｊ列放電セルの１番目サブフィールドのデータが「１」である場合、サブフィールドデータ生成部２５０は無効データを「０」になるように処理する。そうすると、スイッチングによる電力損失とアドレス放電による電力損失を無くすことができる。
【００４７】
また、ｉ-１行ｊ列の放電セルの１番目サブフィールドのデータが「１」で、無効データに処理されるｉ行ｊ列放電セルの１番目サブフィールドのデータが「０」である場合、サブフィールドデータ生成部２５０は無効データを「０」に維持する。このようにすると、スイッチングが起こってスイッチングによる電力損失は起こるが、アドレス放電がないのでアドレス放電による電力損失は無くすことができる。
【００４８】
このような方法で、映像データをサブフィールドデータにマッピングした後に、順次に無効データを直前に走査される放電セルのデータと比較して処理することができる。
【００４９】
次に、図７を参照して、ｉ行ｊ列の放電セルについての映像データで１番目及び２番目サブフィールドのデータが無効データとされる場合について説明する。
【００５０】
つまり、図６で説明した方法を１番目及び２番目サブフィールド各々に対して適用すればよい。例えば、直前に走査される放電セルの１番目及び２番目サブフィールドデータが「０１」で、無効データに処理される放電セルの１番目及び２番目サブフィールドデータが「００」である場合には、図６で説明した方法のように、無効データを「００」に設定すればよい。そして、直前に走査される放電セルの１番目及び２番目サブフィールドデータが「１１」で、無効データに処理される放電セルの１番目及び２番目サブフィールドデータが「１０」である場合には、無効データを「１０」の有効データに設定すればよい。
【００５１】
このように、本発明の第３実施例によると、無効データを無視しないで、直前に走査される放電セルのデータと比較して消費電力が減少するように設定することができる。
【００５２】
つまり本発明の権利範囲は、先に説明した各実施例のような方法に限定されることは無く、請求範囲で定義している本発明の基本概念を使用した当業者による全ての変更及び改良形態も本発明の権利範囲に属するものである。
【図面の簡単な説明】
【００５３】
【図１】本発明の実施例によるプラズマ表示装置の概略的な図面である。
【図２】図１のプラズマ表示パネルの制御部についての詳細ブロック図である。
【図３】本発明の第１実施例によるサブフィールドマスキングを示す図面である。
【図４】本発明の第２実施例による無効データ処理方法を示すフローチャートである。
【図５】図４の方法によって決定されるデータを示す図面である。
【図６】各々本発明の第３実施例による無効データ処理方法を示す図面である。
【図７】各々本発明の第３実施例による無効データ処理方法を示す図面である。
【符号の説明】
【００５４】
１００      プラズマ表示パネル
２００      制御部
２１０      逆ガンマ補正部
２２０      誤差拡散部
２３０      消費電力制御部
２４０      維持放電パルス制御部
２５０      サブフィールドデータ生成部
３００      アドレス駆動部
４００      Ｘ電極駆動部
５００      Ｙ電極駆動部
【図１】
2006053547.tif 000003
【図２】
2006053547.tif 000004
【図３】
2006053547.tif 000005
【図４】
2006053547.tif 000006
【図５】
2006053547.tif 000007
【図６】
2006053547.tif 000008
【図７】
2006053547.tif 000009